(57)【特許請求の範囲】
【請求項１】
レンズ鏡筒であって、
第１貫通穴を有するベース枠と、
第２貫通穴を有する接着板と、
前記ベース枠の内側に配置され、レンズが固定されたレンズ枠と、
前記レンズ枠を前記ベース枠に固定する接着固定部と、を有し、
前記接着板は、前記第１貫通穴の近傍に設けられ、且つ前記第１貫通穴と直交する前記ベース枠の内周面内で可動な状態で前記ベース枠に保持され、
前記レンズ枠は、前記レンズ鏡筒の光軸に対する径方向に突出する突起であって、前記第２貫通穴と係合し且つ前記第１貫通穴に挿入される突起を有し、
前記突起は、前記ベース枠に対する前記レンズ枠の位置を変更するように、前記第１貫通穴内で移動可能であり、
前記接着固定部は、前記第１貫通穴に配置され、前記レンズ枠の前記突起、前記ベース枠及び前記接着板を互いに固定するレンズ鏡筒。
【請求項２】
前記接着板は、前記ベース枠の内周部に形成されたスリット部に挿入される請求項１に記載のレンズ鏡筒。
【請求項３】
前記光軸方向で前記ベース枠と前記レンズ枠とに挟まれた弧状部分を備えた調整リングをさらに有し、前記弧状部分の厚みが前記光軸を中心とした角度方向で変化している請求項１または２に記載のレンズ鏡筒。
【請求項４】
前記レンズ枠の前記突起と前記第２貫通穴との隙間は、前記レンズ枠の前記突起と前記第１貫通穴との隙間よりも小さい請求項１〜３のいずれか一項に記載のレンズ鏡筒。
【請求項５】
前記第２貫通穴は、前記レンズ枠の前記突起の外周と同等の形状及び寸法を有する請求項４に記載のレンズ鏡筒。
【請求項６】
前記レンズ枠の前記突起は、基部側で回転可能に設けられた第１部分と、先端側で前記第１部分から偏心し且つ前記第１部分と一体に回転するように設けられた第２部分とを有し、
前記第２部分は、回転されることによって、前記第１部分を回動すると共に前記レンズ枠を移動させる請求項１〜５のいずれか一項に記載のレンズ鏡筒。
【請求項７】
前記第２貫通穴は、前記レンズ枠の前記第２部分の外周と同等の形状及び寸法を有する請求項６に記載のレンズ鏡筒。
【請求項８】
前記接着板は、前記第１貫通穴が設けられる前記ベース枠の壁面に沿って可動な状態で前記ベース枠に保持される請求項１〜７のいずれか一項に記載のレンズ鏡筒。
【請求項９】
前記レンズ枠の複数の前記突起及び複数の前記第１貫通穴が、前記光軸を中心とした角度方向に離れて設けられる請求項１〜８のいずれか一項に記載のレンズ鏡筒。
【発明の詳細な説明】
【技術分野】
【０００１】
本開示は、デジタルスチルカメラ等に用いられるレンズ鏡筒に関する。
【背景技術】
【０００２】
特許文献１は、レンズを保持するレンズ保持部材と、円筒形状の鏡筒本体と、レンズ保持部材を鏡筒本体の内周側に位置調整するレンズ調整機構とを有するレンズ鏡筒を開示する。このレンズ鏡筒では、鏡筒本体の外周面には複数の貫通穴が設けられており、レンズ保持部材の外周面には貫通穴よりピン部材が取り付けられている。レンズ保持部材は、複数の貫通穴からピン部材の周囲に充填された接着剤で、鏡筒本体に固定されている。
【先行技術文献】
【特許文献】
【０００３】
【特許文献１】特開２０１０−１９１０７０号公報
【発明の概要】
【発明が解決しようとする課題】
【０００４】
本開示は、レンズ鏡筒に対するレンズ枠の位置を調整し且つ固定する強固な構成を有するレンズ鏡筒を提供する。
【課題を解決するための手段】
【０００５】
本開示の一態様に係るレンズ鏡筒は、第１貫通穴を有するベース枠と、第２貫通穴を有する接着板と、ベース枠の内側に配置され、レンズが固定されたレンズ枠と、レンズ枠をベース枠に固定する接着固定部と、を有している。接着板は、第１貫通穴の近傍に設けられ、且つ可動な状態でベース枠に保持されている。レンズ枠は、レンズ鏡筒の光軸に対する径方向に突出し且つ第２貫通穴と係合し且つ第１貫通穴に挿入される突起を有している。突起は、ベース枠に対するレンズ枠の位置を変更するように、第１貫通穴内で移動可能である。接着固定部は、ベース枠の第１貫通穴に配置され、レンズ枠の突起、ベース枠及び接着板を互いに固定する。
【発明の効果】
【０００６】
本開示に係るレンズ鏡筒は、レンズ鏡筒に対するレンズ枠の位置を調整し且つ固定する強固な構成の達成に有効である。
【図面の簡単な説明】
【０００７】
【図１Ａ】図１Ａは、実施の形態に係るレンズ鏡筒の外観を示す斜視図である。
【図１Ｂ】図１Ｂは、実施の形態に係るレンズ鏡筒の外観を示す側面図である。
【図１Ｃ】図１Ｃは、実施の形態に係るレンズ鏡筒の外観を示す正面図である。
【図２】図２は、実施の形態に係るレンズ鏡筒の分解斜視図である。
【図３】図３は、実施の形態に係る４−６群ユニットの斜視図である。
【図４】図４は、実施の形態に係る４−６群ユニットの分解斜視図である。
【図５Ａ】図５Ａは、実施の形態に係る６群枠の調整機構を説明するための正面図である。
【図５Ｂ】図５Ｂは、図５Ａの調整機構を説明するための側面図である。
【図５Ｃ】図５Ｃは、図５Ａの５群ベース枠の中心を通り且つ径方向に延びるＡ−Ａ線に沿った断面図である。
【図５Ｄ】図５Ｄは、図５Ａの５群ベース枠の周方向に延びるＢ−Ｂ線に沿った断面展開図である。
【図６】図６は、実施の形態１に係る５群ベース枠と接着板との関係を示す説明図である。
【図７Ａ】図７Ａは、実施の形態に係る偏心ピンを示す斜視図である。
【図７Ｂ】図７Ｂは、図７Ａの偏心ピンの正面図である。
【図７Ｃ】図７Ｃは、図７Ａの偏心ピンの側面図である。
【図７Ｄ】図７Ｄは、図７Ａの偏心ピンの底面図である。
【発明を実施するための形態】
【０００８】
本発明者は、「背景技術」の欄において記載した技術に関し、以下の知見に至った。特許文献１では、接着剤は、鏡筒本体の貫通穴内で、レンズ保持部材のピンを鏡筒本体に固定しているため、固定部分の強度が、貫通穴とピンとの間の接着剤の強度に依存する。この結果、レンズ保持部材と鏡筒本体との固定強度が低くなる。つまり、レンズ鏡筒の調整部の強度が低くなる。そこで、本発明者は、調整部の強度を向上するレンズ鏡筒を、以下のように見出した。
【０００９】
本開示の一態様によるレンズ鏡筒は、第１貫通穴を有するベース枠と、第２貫通穴を有する接着板と、ベース枠の内側に配置され、レンズが固定されたレンズ枠と、レンズ枠をベース枠に固定する接着固定部と、を有する。接着板は、第１貫通穴の近傍に設けられ、且つ可動な状態でベース枠に保持され、レンズ枠は、レンズ鏡筒の光軸に対する径方向に突出する突起であって、第２貫通穴と係合し且つ第１貫通穴に挿入される突起を有する。突起は、ベース枠に対するレンズ枠の位置を変更するように、第１貫通穴内で移動可能である。接着固定部は、第１貫通穴に配置され、レンズ枠の突起、ベース枠及び接着板を互いに固定する。
【００１０】
上述の構成において、接着固定部は、接着板を介して、レンズ枠の突起をベース枠に固定する。このため、接着固定部による固定部分に作用する力は、接着板に分散され、接着固定部へ作用する応力が低くなる。さらに、接着板を介した接着固定部による固定は、接着面積を大きくすることができる。よって、ベース枠に対するレンズ枠の固定強度が向上する。つまり、レンズ鏡筒における調整部の強度が、向上する。
【００１１】
レンズ鏡筒は、光軸方向でベース枠とレンズ枠とに挟まれた弧状部分を備えた調整リングをさらに有し、弧状部分の厚みが光軸を中心とした角度方向で変化してもよい。上述の構成において、調整リングが弧状部分と共に上記角度方向に回転すると、ベース枠とレンズ枠との光軸方向の間隔が変化する。このことは、ベース枠に対するレンズ枠の光軸方向の位置調整を可能にする。
【００１２】
レンズ枠の突起と第２貫通穴との隙間は、レンズ枠の突起と第１貫通穴との隙間よりも小さくてもよい。さらに、第２貫通穴は、レンズ枠の突起の外周と同等の形状及び寸法を有してもよい。上述の構成において、接着固定部が第１貫通穴に充填されたとき、レンズ枠の突起と第２貫通穴との隙間からの接着固定部の逸脱が低減する。よって、十分な量の接着固定部による固定が可能である。
【００１３】
レンズ枠の突起は、基部側で回転可能に設けられた第１部分と、先端側で第１部分から偏心し且つ第１部分と一体に回転するように設けられた第２部分とを有し、第２部分は、回転されることによって、第１部分を回動すると共にレンズ枠を移動させてもよい。上述の構成において、レンズ枠の突起は、第２部分の回転中心軸の径方向に、レンズ枠を移動する。
【００１４】
第２貫通穴は、レンズ枠の第２部分の外周と同等の形状及び寸法を有してもよい。上述の構成において、接着固定部が第１貫通穴に充填されたとき、レンズ枠の突起と第２貫通穴との隙間からの接着固定部の逸脱が大幅に低減する。また、第２部分の回転に伴い、接着板が移動しない。
【００１５】
接着板は、第１貫通穴が設けられるベース枠の壁面に沿って可動な状態でベース枠に保持されてもよい。上述の構成において、接着板がレンズ枠の位置変更に伴う突起の位置変更を制限することが、抑えられる。
【００１６】
レンズ枠の複数の突起及び複数の第１貫通穴が、光軸を中心とした角度方向に離れて設けられてもよい。上述の構成において、レンズ枠は、互いに離れた複数の位置で位置変更を受ける。よって、レンズ枠の精密な位置調整が可能になる。
【００１７】
本開示の別の一態様によるレンズ鏡筒は、ベース枠と、ベース枠の内側に配置され、レンズが固定されたレンズ枠と、レンズ鏡筒の光軸方向でベース枠とレンズ枠とに挟まれた弧状部分を備えた調整リングと、を有し、光軸方向での弧状部分の厚みが、光軸を中心とした角度方向で変化している。上述の構成において、調整リングが弧状部分と共に上記角度方向に回転すると、ベース枠とレンズ枠との光軸方向の間隔が変化する。このことは、ベース枠に対するレンズ枠の光軸方向の位置調整を可能にする。
【００１８】
ベース枠及びレンズ枠の少なくとも一方は、調整リングに部分的に接触してもよい。さらに、ベース枠及びレンズ枠の少なくとも一方は、調整リングに接触する突起を有してもよい。上述の構成によって、調整リングに反り、撓み、歪み等の変形があっても、ベース枠及びレンズ枠の少なくとも一方は、調整リングと接触することができる。さらに、突起を介した接触は、面接触とは異なり、調整リングとの確実な接触の維持を可能にする。
【００１９】
レンズ鏡筒は、ベース枠及びレンズ枠の少なくとも一方を調整リングに向かって付勢する付勢ばねをさらに有してもよい。上述の構成によって、調整リングをレンズ枠に接触させた状態を維持することができるため、調整リングによる安定した調整が可能である。
【００２０】
ベース枠は、枠部と、枠部から光軸と交差する方向に突出する突部とを有し、調整リングの弧状部分は、突部とレンズ枠とに挟まれ、付勢ばねは、枠部とレンズ枠との間で、レンズ枠を突部に向かって付勢してもよい。上述の構成において、調整リング、レンズ枠及び付勢ばねを枠部内に収容するように構成することができ、レンズ鏡筒の小型化が可能になる。
【００２１】
調整リングは、光軸を中心とした角度方向に離れて配置される複数の弧状部分を有してもよい。上述の構成によって、レンズ枠は、複数の弧状部分によって、全体的に均等に移動することができる。
【００２２】
以下、適宜図面を参照しながら、実施の形態に係るレンズ鏡筒を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２３】
なお、出願人は、当業者が本開示を十分に理解するために添付図面および以下の説明を提供するのであって、これらによって特許請求の範囲に記載の主題を限定することを意図するものではない。
【００２４】
（実施の形態）
以下、図１Ａ〜図７Ｄを用いて、実施の形態に係るレンズ鏡筒１００を説明する。
【００２５】
［１．レンズ鏡筒の構成］
図１Ａ〜図１Ｃは、実施の形態に係るレンズ鏡筒１００の外観を示す図である。図１Ａは、レンズ鏡筒１００の斜視図であり、図１Ｂは、レンズ鏡筒１００の側面図であり、図１Ｃは、レンズ鏡筒１００の正面図である。レンズ鏡筒１００は、レンズ鏡筒をカメラに固定するマウント部１０９と、ズーム、フォーカス等の操作を行うための操作部１０８とを備える。レンズ鏡筒１００は、レンズ鏡筒に設けられた操作部１０８が操作されることによって、あるいは、カメラから電気信号で送られた指令に対し従うことによって、内部のレンズ群を移動させる。これにより、レンズ鏡筒１００は、使用者の意図した画角へのズーム及びピント調整を行う。図１Ａ〜図１Ｃは、レンズ鏡筒１００を三脚に固定するための三脚座９０が、レンズ鏡筒１００に取り付けられた状態を示している。
【００２６】
図２は、実施の形態に係るレンズ鏡筒１００の分解斜視図であり、三脚座９０がレンズ鏡筒１００に取り付けられた状態を示す。レンズ鏡筒１００は、固定レンズを備えた１群ユニット１０１と、ズームレンズが固定された２群ユニット１０２と、ズームレンズが固定された３群ユニット１０３と、像振れ補正装置を内蔵する４−６群ユニット１０４と、フォーカスレンズが内蔵された７−９群ユニット１０５とを備えている。さらに、レンズ鏡筒１００は、第１固定枠１０６、第２固定枠１０７及び遮光枠ユニット１１１を備えている。上記の群ユニットは、レンズユニットを構成し、第１固定枠１０６及び第２固定枠１０７と共に、外装部材１１２の内部に設けられている。
【００２７】
２群ユニット１０２及び３群ユニット１０３は、第１固定枠１０６の内周に設けられたカム機構に係合され、レンズ鏡筒１００の光軸方向に進退し、それにより、レンズ鏡筒１００のレンズユニットの焦点距離を変化させる。
【００２８】
７−９群ユニット１０５は、フォーカスレンズを光軸方向に移動させるフォーカスモータを内蔵しており、電気的な指令によりフォーカスレンズを移動させる。
【００２９】
４−６群ユニット１０４には、像ぶれ補正レンズ及び像ぶれ補正レンズを移動させるアクチュエータが搭載されている。４−６群ユニット１０４は、電気的信号に伴い、像ぶれ補正レンズを光軸と垂直な平面上で移動させることにより、像ぶれを打ち消す動作を行う。
【００３０】
第２固定枠１０７は、レンズ鏡筒１００全体のベースを構成する。第２固定枠１０７の内周側に、７−９群ユニット１０５が設けられる。第２固定枠１０７の光軸方向前方側に４−６群ユニット１０４及び第１固定枠１０６が配置される。第２固定枠１０７の光軸方向後方側にマウント部１０９が固定される。
【００３１】
遮光枠ユニット１１１は、２群ユニット１０２にその外周部から入射する不要な光を遮る役割を果たしている。
【００３２】
［２．４−６群ユニットの構成］
以下、上記４−６群ユニット１０４の詳細を説明する。図３は、実施の形態に係る４−６群ユニットの斜視図であり、図４は、実施の形態に係る４−６群ユニットの分解斜視図である。
【００３３】
図４に示されるように、４−６群ユニット１０４は、４群部４０と５群部５０と６群部６０と６群調整リング６２とを有する。４群部４０は、レンズが固定されたレンズ枠４１、レンズが固定されたレンズ枠４３、及び、レンズに入射する光量を調整する絞りユニット４２を含む。５群部５０は、像ぶれ補正レンズを駆動するアクチュエータの一部であるＯＩＳ（Ｏｐｔｉｃａｌ  Ｉｍａｇｅ  Ｓｔａｂｉｌｉｚａｔｉｏｎ）マグネットユニット５１、像ぶれ補正レンズが固定されたＯＩＳ枠５２、及び、４−６群ユニット全体のベースとなるベース枠５３を含む。６群部６０は、レンズが固定された６群枠６１（レンズ枠の一例）を含む。６群調整リング６２は、６群部６０のレンズの光軸方向の位置を調整するための調整リングである。
【００３４】
本実施の形態において、６群枠６１は、位置の調整が可能であるように構成されている。６群枠６１は、例えば、意図的に設計中心の位置からずらして固定されることにより、各部品の誤差（例えば、製造公差）、組立ての誤差（例えば、バラツキ）等の影響をキャンセルすることができ、それにより、レンズ鏡筒１００全体としての光学性能を高めることが可能となる。
【００３５】
［３．６群枠の位置調整機構の詳細説明］
以下では、図５Ａ〜図７Ｄを用いて上記６群枠６１の位置調整の構成を詳しく説明する。
【００３６】
図５Ａ〜図５Ｄは実施の形態に係る６群枠６１の調整機構の説明図である。図５Ａは、実施の形態に係る６群枠６１の調整機構を説明するための正面図である。図５Ｂは、図５Ａの調整機構を説明するための側面図である。図５Ｃは、図５Ａの５群ベース枠５３の中心を通り且つ径方向に延びるＡ−Ａ線に沿った断面図である。図５Ｄは、図５Ａの５群ベース枠５３の周方向に延びるＢ−Ｂ線に沿った断面の展開図である。
【００３７】
本実施の形態では、下記２項目の位置に関して、ベース枠５３に対する６群枠６１の相対的な位置の調整が可能である。
【００３８】
（ｉ）レンズ鏡筒１００の光軸と垂直な面上での相対位置（偏心量及び偏心方向）
（ｉｉ）レンズ鏡筒１００の光軸方向での相対位置
【００３９】
以下、これら２項目の位置調整の機構を、順を追って説明する。
【００４０】
まず、光軸と垂直な面上での相対位置の調整機構（項目（ｉ）に関する）を説明する。
【００４１】
図４、図５Ｂ及び図５Ｃを参照すると、ベース枠５３は、筒状の形状を有している。ベース枠５３は、円筒状の側壁５３１と、側壁５３１内の光軸方向の途中に位置する円環板状の仕切壁５３２とを一体的に含む。仕切壁５３２は、光軸と略垂直に延び、その中心に開口を有する。ベース枠５３の側壁５３１には、側壁５３１の内周面から外周面にまで貫通した複数の調整穴５３ａが形成されている。調整穴５３ａは、光軸方向により長い形状を有し、本実施の形態では、光軸方向を長手方向とする長円形状の長穴である。本実施の形態では、図示しない部分も含め３つの調整穴５３ａが、側壁５３１の周方向に均等に配置されている。なお、調整穴５３ａの形状、数量及び配置は、上記に限定されず、任意に選択することができる。ここで、調整穴５３ａは、第１貫通穴の一例であり、ベース枠５３の側壁５３１及び仕切壁５３２は、ベース枠の枠部の一例である。
【００４２】
図６は、実施の形態に係る５群ベース枠５３と接着板６５との関係を示す説明図である。図６を参照すると、ベース枠５３の側壁５３１の内側において、各調整穴５３ａの近傍には、矩形平板状の接着板６５が設けられている。接着板６５には、これを貫通する円形状の穴６５ａが形成されている。各調整穴５３ａの近傍では、側壁５３１の内周面から一体的に突出する２つの突部５３ｂａが、当該内周面との間に２つの対向するスリット５３ｂを形成する。突部５３ｂａ及びスリット５３ｂは、側壁５３１の周方向で各調整穴５３ａの両側に形成され、光軸方向に延びる。各接着板６５の両側部は、２つの対向するスリット５３ｂに挿入され、突部５３ｂａによって保持される。これにより、突部５３ｂａによって保持される接着板６５は、調整穴５３ａと対面して位置し、側壁５３１の内周面に沿って光軸方向に移動可能である。ここで、接着板６５の穴６５ａは、第２貫通穴の一例である。
【００４３】
また、図５Ｂ及び図５Ｃを参照すると、３つの円筒状の偏心ピン６３が、円環板状の６群枠６１の外周縁に係合して配置され、ワッシャ付きのビス６４にて、当該外周縁に固定されている。３つの偏心ピン６３は、６群枠６１の外周縁の周方向に均等に配置され、６群枠６１の径方向に突出する。３つの偏心ピン６３の位置は、ベース枠５３の３つの調整穴５３ａの位置に対応する。６群枠６１がベース枠５３に組み付けられるためには、６群枠６１の各偏心ピン６３は各接着板６５の穴６５ａに挿入され、更にベース枠５３の各調整穴５３ａにも挿入され、そして、６群枠６１に固定される。ここで、ビス６４によって６群枠６１の外周縁に固定された偏心ピン６３は、突起の一例である。
【００４４】
図５Ｂ、図５Ｃ及び図７Ａ〜図７Ｄを参照して、偏心ピン６３の構成を説明する。図７Ａは実施の形態に係る偏心ピン６３の斜視図を示し、図７Ｂは図７Ａの偏心ピン６３の正面図を示し、図７Ｃは図７Ａの偏心ピン６３の側面図を示し、図７Ｄは図７Ａの偏心ピン６３の底面図を示す。偏心ピン６３はビス６４が挿入される穴６３ａを有している。穴６３ａの中心は、偏心ピン６３の周囲形状（円形）の中心に対してずれた位置に配置されている。偏心ピン６３は、基部側に位置する円筒状の第１部分６３ｂと、先端側に位置する円筒状の第２部分６３ｃとを一体的に含む。第１部分６３ｂは６群枠６１側に位置し、第２部分６３ｃはベース枠５３側に位置する。本実施の形態では、第１部分６３ｂの外径中心と、第２部分６３ｃの外径中心とが、これらの径方向に意図的にずらされている。つまり、第２部分６３ｃの軸心は、第１部分６３ｂの軸心から径方向に偏心して位置する。第１部分６３ｂは、６群枠６１の外周縁に形成された円筒状の凹部に係合する。第２部分６３ｃは、接着板６５の穴６５ａ及びベース枠５３の調整穴５３ａに挿入される。ビス６４は、第１部分６３ｂに形成された穴６３ａを通る。よって、偏心ピン６３の第２部分６３ｃは、ビス６４からも径方向に偏心して位置する。
【００４５】
図５Ｂ及び図５Ｃを参照すると、本実施の形態では、接着板６５の穴６５ａは、後述するように、偏心ピン６３の第２部分６３ｃと同等の形状及び寸法で形成されている。ベース枠５３の調整穴５３ａは、長手方向で第２部分６３ｃの径よりも大きい寸法で形成され、短手方向で第２部分６３ｃの径と同等の寸法で形成されている。よって、第２部分６３ｃと穴６５ａとの隙間は、第２部分６３ｃと調整穴５３ａとの隙間よりも小さい。
【００４６】
ビス６４が完全に締め付けられた状態から所定量緩められた状態にあるとき、偏心ピン６３は、ワッシャのバネ性で６群枠６１に押さえ付けられつつ６群枠６１に緩く留め付けられている。これにより、偏心ピン６３は、ビス６４及び第１部分６３ｂを中心に、６群枠６１に対して回転することができる。このとき、偏心ピン６３の第２部分６３ｃは、その軸心を中心に回転されると、第１部分６３ｂ及びビス６４にこれらの軸心から偏心させて回動させる、つまり、第２部分６３ｃの軸心を中心に公転させる。これにより、第１部分６３ｂが係合する６群枠６１が、ベース枠５３の側壁５３１の周方向に変位する。よって、６群枠６１の軸心とベース枠５３の軸心との位置関係が変化する。なお、第２部分６３ｃに係合する接着板６５は移動しない。また、３箇所の偏心ピン６３の回転角度を調整することによって、６群枠６１の軸心と垂直な面上、つまり、６群枠６１の光軸と垂直な面上での、ベース枠５３に対する６群枠６１の相対位置（偏心量及び偏心方向）の調整が可能である。
【００４７】
次に、光軸方向の位置の調整機構（項目（ｉｉ）に関する）を説明する。
【００４８】
図５Ｄ及び図６を参照すると、６群枠６１は、ベース枠５３に対し、３本の付勢ばね６７で光軸方向に付勢されている。ベース枠５３の側壁５３１には、複数の突部５３ｃが一体的に形成され、複数の突部５３ｃは、側壁５３１の内周面から径方向内側へ向かって、光軸と交差する方向に突出する。本実施の形態では、３つの突部５３ｃが設けられる。３つの突部５３ｃは、ベース枠５３の仕切壁５３２から光軸方向に離れて配置され、側壁５３１の周方向に互いに間隔をあけて均等に配置されている。各突部５３ｃには、仕切壁５３２に向かって光軸方向に突出した突起５３ｄが一体的に設けられている。３つの突部５３ｃと仕切壁５３２との間に、６群枠６１が配置される。さらに、仕切壁５３２には、突部５３ｃに向かう方向に延びる３つのばね軸部５３２ａが、一体的に形成されている。各付勢ばね６７は、ばね軸部５３２ａに配置される。本実施の形態では、付勢ばね６７は、コイルばねであるが、これに限定されず、任意の構成のばねであってよい。ばね軸部５３２ａの先端は、６群枠６１に緩く係合し、６群枠６１を大凡に位置決めする。
【００４９】
また、円環板状の６群調整リング６２が、３つの突部５３ｃと６群枠６１との間に配置される。これにより、６群調整リング６２は、突部５３ｃ及び６群枠６１によって挟まれる。６群枠６１には、６群調整リング６２に向かって光軸方向に突出した複数の突起６１ａが一体的に設けられている。本実施の形態では、３つの突起６１ａが、６群枠６１の周方向に均等に配置されている。各突起６１ａの位置は、ベース枠５３の突部５３ｃの突起５３ｄの位置と対応している。６群枠６１の突起６１ａ及び突部５３ｃの突起５３ｄは、例えば互いに対向するように位置する。突起６１ａ及び５３ｄは、６群調整リング６２に両側から接触し、６群調整リング６２を挟持している。これにより、６群枠６１及び突部５３ｃが６群調整リング６２と面接触することが、抑えられる。よって、６群枠６１又は６群調整リング６２に反り、撓み、歪み等の変形があっても、６群枠６１及び突部５３ｃは、突起６１ａ及び５３ｄを介して６群調整リング６２と接触することができる。さらに、付勢ばね６７の付勢によって、接触状態が維持される。また、突部５３ｃ及び６群枠６１が６群調整リング６２を挟む構成により、６群枠６１、６群調整リング６２及び付勢ばね６７は、ベース枠５３の側壁５３１内に収容され得る。
【００５０】
上記により、６群枠６１は、６群調整リング６２を挟んでベース枠５３に押さえつけられるように構成されている。
【００５１】
６群調整リング６２における６群枠６１の突起６１ａと接触する面は、平面であり、具体的には、平坦な表面である。一方、６群調整リング６２におけるベース枠５３の突起５３ｄと接触する面は、突起６１ａと接触する面に対して傾斜した傾斜面６２ａを形成する。この傾斜面６２ａは、光軸を中心とした角度方向に、具体的には、６群調整リング６２の周方向に沿って、弧状に延在する。６群調整リング６２における傾斜面６２ａが形成された部分は、６群調整リング６２の弧状部分を形成する。傾斜面６２ａは、６群調整リング６２の周方向で、６群調整リング６２の光軸方向の厚みを緩やかに変化する様に、例えば一定の割合でなだらかに連続的に変化する様に、傾斜している。３つの傾斜面６２ａが、３つの突部５３ｃの位置それぞれに対応するように、６群調整リング６２の周方向で均等に配置されている。さらに、６群調整リング６２の周方向での３つの傾斜面６２ａの傾斜方向は、同一である。
【００５２】
ここで、光軸を中心に６群調整リング６２が回転されると、６群枠６１の突起６１ａと、ベース枠５３の突部５３ｃの突起５３ｄとに挟まれた部分の厚みが変化するため、６群枠６１と突部５３ｃとの間隔が変化する。よって、６群枠６１の光軸方向の位置が、突部５３ｃに対して変化する。６群調整リング６２の回転角度を調整することによって、６群枠６１の光軸方向の位置が調整できる。なお、傾斜面６２ａ並びに突起６１ａ及び５３ｄがそれぞれ均等に配置されているため、６群調整リング６２の回転に伴い、６群枠６１の全体が、光軸方向に略平行に均等に移動することができる。また、傾斜面６２ａが形成された６群調整リング６２の調整部分は、６群枠６１の突起６１ａとベース枠５３の突起５３ｄとに挟まれる構成であり、高い強度が要求されないため、６群調整リング６２の薄肉化が可能である。
【００５３】
この様に周方向に厚みが変化する６群調整リング６２を用いて６群枠６１の光軸方向の位置を調整する方式は、以下の様な点で優れている。
・６群調整リング６２の厚み分布のみによって６群枠６１の光軸方向の位置が決まるので、６群調整リングに反り、撓み、歪み等の変形があっても、調整精度は殆ど影響を受けない。
・６群調整リング６２の形状が単純なので、樹脂成型等の製造方法で６群調整リング６２を大量に生産し易い。
・位置調整のための構成は、肉厚の薄い６群調整リング６２と付勢ばね６７とを使用するだけの構成なので、必要なスペースを小さくする。
【００５４】
以上の様に本実施の形態の構成によれば、単純な構成で、６群枠６１に関して高精度な光軸方向の位置調整が可能である。
【００５５】
上記の通り、本実施の形態に係る調整機構によれば、ベース枠５３に対する６群枠６１の相対位置に関して、偏心ピン６３を回転することによって、光軸と垂直な面上での調整が可能であり、６群調整リング６２の回転角度を調整することによって、光軸方向での調整が可能である。それぞれの調整は、独立して実施することができる。言い換えれば、６群枠６１の相対位置の調整に関して、偏心量及び偏心方向の調整を行う際に、光軸方向の位置は変化しない。同様に、６群枠６１の相対位置の調整に関して、光軸方向の位置の調整を行う際に、偏心量及び偏心方向は変化しない。
【００５６】
［４．６群枠の固定方法の詳細説明］
図６に示されるように、接着板６５は、ベース枠５３の側壁５３１の内周部に形成されたスリット５３ｂに挿入される。これにより、接着板６５は、ベース枠５３に対し光軸方向には自由に移動可能であるが、その他の方向には移動が規制される。
【００５７】
接着板６５の穴６５ａは、偏心ピン６３の外径より僅かに大きな径で開けられている。つまり、接着板６５の穴６５ａの径は、偏心ピン６３の外径と同等である。各偏心ピン６３は、各接着板６５の穴６５ａに挿入され且つ係合した状態で、ベース枠５３の各調整穴５３ａに挿入される。このとき、各調整穴５３ａが長穴であるため、各偏心ピン６３は、接着板６５と共に光軸方向に移動することができる。図５Ｃに示されるように、偏心ピン６３及び６群調整リング６２を回転して、ベース枠５３に対する６群枠６１の位置調整を行った後、ベース枠５３の調整穴５３ａ、偏心ピン６３及び接着板６５に囲まれた領域に、紫外線硬化性の接着剤６６が充填される。接着剤６６は、紫外線を受けて硬化することにより、ベース枠５３に６群枠６１を固定する。具体的には、硬化後の接着剤６６は、ベース枠５３、偏心ピン６３及び接着板６５を互いに固定することによって、上記固定を実現する。なお、使用される接着剤は、紫外線硬化性の接着剤に限定されず、いかなる接着剤であってもよい。ここで、硬化後の接着剤６６は、接着固定部の一例である。
【００５８】
接着部に接着板６５を用いることは、以下の様な効果をもたらす。
【００５９】
まず１点目は、接着剤塗布の安定性である。
【００６０】
接着板６５が無い場合、接着剤は、ベース枠５３の調整穴５３ａと偏心ピン６３との間に形成される大きな隙間に充填され、ベース枠５３に偏心ピン６３を固定する必要がある。このためには、粘度の高い接着剤を用いて、接着剤に隙間をブリッジさせる等の工法が必要である。この場合、接着剤を安定して塗布することは難しく、最悪の場合、ベース枠５３の側壁５３１の内周部にはみ出した接着剤が未硬化のまま残る。そして、未硬化の接着剤が後々流れ出して周辺の可動部に付着する等の不具合が発生する恐れがある。
【００６１】
一方、接着板６５が設けられる場合、ベース枠５３の調整穴５３ａと偏心ピン６３との間に形成される隙間は、その両側のうちの一方で接着板６５によって蓋がされる。このため、比較的粘度の低い接着剤でも隙間内に塗布可能であり、接着剤塗布の作業性が良くなる。また、接着剤がベース枠５３の側壁５３１の内周部にはみ出す心配が無いので、接着剤のはみ出しに伴う不具合が発生しない。
【００６２】
次に、２点目は、強度である。
【００６３】
接着板６５が無い場合、ベース枠５３の調整穴５３ａと偏心ピン６３との間には接着剤しかない状態となる。つまり、調整穴５３ａと偏心ピン６３との間の隙間内の接着剤のみが、ベース枠５３及び偏心ピン６３の固定部分を構成する。このため、固定後、この固定部分に落下衝撃等の外力が加わった場合、硬化した接着剤の強度が、そのまま固定部分の強度となる。よって、固定部分の強度が低くなる。
【００６４】
一方、接着板６５が設けられる場合、接着剤は、接着板６５を介してベース枠５３と偏心ピン６３とを固定し、接着剤及び接着板６５が固定部分を構成する。このため、接着板６５とベース枠５３との間、及び、接着板６５と偏心ピン６３との間にわたる広い接着面積を、接着剤は有することができる。また、落下衝撃等の外力が固定部分に加わっても、力が接着板６５に分散され接着剤に作用する応力が低いため、接着剤のみの場合と比較して固定強度が向上する。また、接着剤がベース枠５３の側壁５３１の内周部にはみ出す心配が無いことから、十分な量の接着剤を固定に用いることができる。このため、６群枠６１をベース枠５３に強固に固定でき、固定部分の強度が向上する。このように、レンズ枠の調整部の強度を向上できる。
【００６５】
以上の様に、接着部に接着板６５を介在させることにより、接着剤の塗布が安定し、固定強度も向上できる。
【００６６】
上記実施の形態では、偏心ピン６３をベース枠５３に接着固定する例を示したが、これに限定するものではない。
【００６７】
例えば、ベース枠５３に調整穴５３ａと別の貫通穴を設け、６群枠６１における当該貫通穴と対向する部分に偏心ピン６３とは別の突起を設け、当該貫通穴に当該突起を接着固定しても良い。
【００６８】
また、接着板６５については特に詳しく説明していないが、接着板６５は、金属の薄板をプレス加工で打ち抜いて作製する、あるいは、金属切削加工や樹脂成型等の方法で作製することができる。接着板６５の形状についても、本実施の形態では、矩形平板状の接着板の例を示したが、その他の形状の接着板でも同様の効果がある。
【００６９】
（他の実施の形態）
以上のように、本開示における技術の例示として、実施の形態を説明した。しかしながら、本開示における技術は、これに限定されず、適宜、変更、置き換え、付加、省略などを行った実施の形態にも適用可能である。また、上記実施の形態及び下記の他の実施の形態で説明する各構成要素を組み合わせて、新たな実施の形態とすることも可能である。そこで、以下、他の実施の形態を例示する。
【００７０】
実施の形態に係るレンズ鏡筒１００では、６群枠６１の光軸方向及び光軸に垂直な方向の位置を調整するための構成が設けられていたが、この構成は、レンズ鏡筒１００における位置の調整が必要であるいかなる部位に適用されてもよい。
【００７１】
実施の形態に係るレンズ鏡筒１００では、付勢ばね６７は、６群枠６１を６群調整リング６２及びベース枠５３に付勢していたが、これに限定されない。付勢ばねは、ベース枠５３を６群調整リング６２及び６群枠６１に付勢するように構成されてもよく、６群枠６１及びベース枠５３を６群調整リング６２に付勢するように構成されてもよい。
【００７２】
以上のように、添付図面および詳細な説明によって、実施の形態と他の実施の形態とを提供した。これらは、特定の実施の形態を参照することにより、当業者に対して、特許請求の範囲に記載の主題を例証するために提供されるものである。したがって、添付図面および詳細な説明に記載された構成要素の中には、課題解決のために必須な構成要素だけでなく、それ以外の構成要素も含まれ得る。そのため、それらの必須ではない構成要素が添付図面や詳細な説明に記載されているからといって、直ちにそれらの必須ではない構成要素が必須であるとの認定を受けるべきではない。また、特許請求の範囲またはその均等の範囲において、上述の実施の形態に対して、種々の変更、置き換え、付加、省略などを行うことができる。
【産業上の利用可能性】
【００７３】
本開示は、デジタルスチルカメラ等に使用されるレンズ鏡筒に適用可能である。
【符号の説明】
【００７４】
１００  レンズ鏡筒
１０１  １群ユニット
１０２  ２群ユニット
１０３  ３群ユニット
１０４  ４−６群ユニット
１０５  ７−９群ユニット
１０６  固定枠ユニット
４１、４３  レンズ枠
４２  絞りユニット
５２  ＯＩＳ枠
５３  ベース枠
５３ａ  調整穴
６１  ６群枠
６２  ６群調整リング
６３  偏心ピン
６３ａ  穴
６３ｂ  第１部分
６３ｃ  第２部分
６４  ビス
６５  接着板
６５ａ  穴
６６  接着剤
６７  付勢ばね
【図１Ａ】
0006803558.tif 000002
【図１Ｂ】
0006803558.tif 000003
【図１Ｃ】
0006803558.tif 000004
【図２】
0006803558.tif 000005
【図３】
0006803558.tif 000006
【図４】
0006803558.tif 000007
【図５Ａ】
0006803558.tif 000008
【図５Ｂ】
0006803558.tif 000009
【図５Ｃ】
0006803558.tif 000010
【図５Ｄ】
0006803558.tif 000011
【図６】
0006803558.tif 000012
【図７Ａ】
0006803558.tif 000013
【図７Ｂ】
0006803558.tif 000014
【図７Ｃ】
0006803558.tif 000015
【図７Ｄ】
0006803558.tif 000016